(57)【特許請求の範囲】
【請求項１】
車両の室内の空調を行う空調部と、
前記空調部の動作制御を行う空調制御部と、
前記空調部に、前記車両の乗員が前記車両に乗り込む前に行う空調態様であるプレ空調を実行させるためのプレ空調指示を取得する取得部と、
を備え、
前記空調部は、
ダクトと、
前記車両の外部の空気である外気と、前記車両の室内を循環する空気である内気との割合を調整して前記ダクト内に送り込む内外気調整部と、
前記ダクト内の空気を空調風として前記車両の室内に吹き出すための送風部および吹出口と、
前記空調風を吹き出す吹出口を切り替える吹出口切替部と、
を含み、
前記空調制御部は、
前記取得部が、前記プレ空調指示を取得したときに、前記空調部に、前記プレ空調を実施させるのに先立ち、前記プレ空調とは異なる空調態様で、前記ダクト内の臭気を低減させる排臭空調を所定時間実施させ、
前記排臭空調に続いて前記プレ空調を実施した後に、予め定められた排臭状態となるように、前記内外気調整部を調整させ、前記吹出口切替部に前記吹出口を切り替えさせ、
前記排臭空調の実施終了後から、前記排臭空調を再び実施することが必要な状態になるまでの時間である排臭再実施時間を算出する算出部と、
前記車両の原動機の状態を取得する状態取得部と、
前記プレ空調の実施終了後から、前記原動機が始動許可状態になるまでの時間を計測する計測部と、
を備え、
前記空調制御部は、
前記計測部が計測した時間が、前記排臭再実施時間を超えるとき、前記空調部に、前記車両の乗員が前記車両に乗り込んだ後に行う空調態様である通常空調を実行させるのに先立ち、所定時間、前記排臭空調を実行させることを特徴とする車両用空調装置。
【請求項２】
前記空調制御部は、前記排臭空調の実行時には、前記ダクトに外気を導入し、前記吹出口のうち、同時に吹き出し可能なものが最も多い状態で、前記ダクトに滞留していた空気を前記車両の室内に吹き出させるよう、前記内外気調整部を調整させ、前記吹出口切替部に前記吹出口を切り替えさせる請求項１に記載の車両用空調装置。
【請求項３】
前記空調制御部は、前記排臭状態のときには、前記ダクト内の空気が、前記ダクトの外部に流出可能なように、前記内外気調整部を調整させ、前記吹出口切替部に前記吹出口を切り替えさせる請求項１または請求項２に記載の車両用空調装置。
【請求項４】
前記空調制御部は、前記通常空調に先立って前記排臭空調を実施する際、
前記車両の室内の乗員に対して吹き付ける前記空調風の量がより少なくなるように、前記吹出口切替部に前記吹出口を切り替えさせる請求項１ないし請求項３のいずれか１項に記載の車両用空調装置。
【請求項５】
前記プレ空調の実施時間を取得する時間取得部を備え、
前記算出部は、前記プレ空調の実施時間に基づいて前記排臭再実施時間を算出する請求項１ないし請求項４のいずれか１項に記載の車両用空調装置。
【請求項６】
前記プレ空調を実行時の前記空調風の風量を取得する風量取得部を備え、
前記算出部は、前記風量に基づいて前記排臭再実施時間を算出する請求項１ないし請求項５のいずれか１項に記載の車両用空調装置。
【請求項７】
前記プレ空調を実行時の、前記外気の温度を取得する外気温度取得部を備え、
前記算出部は、前記外気の温度に基づいて前記排臭再実施時間を算出する請求項１ないし請求項６のいずれか１項に記載の車両用空調装置。
【請求項８】
前記プレ空調を実行時の、前記車両の室内の湿度を取得する湿度取得部を備え、
前記算出部は、前記湿度に基づいて前記排臭再実施時間を算出する請求項１ないし請求項７のいずれか１項に記載の車両用空調装置。
【請求項９】
前記プレ空調を実行時の、前記空調部に含まれるコンプレッサの駆動時間を計測する駆動時間計測部を備え、
前記算出部は、前記コンプレッサの駆動時間に基づいて前記排臭再実施時間を算出する請求項１ないし請求項８のいずれか１項に記載の車両用空調装置。
【発明の詳細な説明】
【技術分野】
【０００１】
本発明は、車両用空調装置に関し、特に、ユーザの乗車前に車室内の空調が可能な車両用空調装置に関する。
【背景技術】
【０００２】
車両用空調装置を始動させた場合、空調装置内、または、通風経路であるダクトに滞留していた異臭を含む空気が吹き出し、ユーザに不快感を与えるという問題がある。
【０００３】
そこで、ユーザが乗車してから排臭空調を実行するのではなく、ユーザの乗車前に実行するプレ空調に合わせて排臭空調を実行・完了することで、車室内の臭気をより低減し、空調状態もユーザの不快感を和らげるレベルとする車両用空調装置が考案されている（特許文献１参照）。
【先行技術文献】
【特許文献】
【０００４】
【特許文献１】特開２０１３−２２６８５８号公報
【発明の概要】
【発明が解決しようとする課題】
【０００５】
特許文献１では、車両の乗員が車両に乗り込む前に行う空調態様であるプレ空調の実行終了後、予め定められた時間を経過した後に、イグニッションスイッチがオン状態になったことを検出したとき、空調部に、車両の乗員が車両に乗り込んだ後に行う空調態様である通常空調を実行させるのに先立ち、所定時間、排臭空調を実行させる。このように、プレ空調の実行終了後に一定時間が経過してから排臭制御を実施する構成では、必要性の低い場合も排臭空調を実施することもあり、空調性能の低下、すなわち車室内の快適性の低下を招く原因にもなり得る。
【０００６】
上記問題点を背景として、本発明は、車室内の空調状態を、より快適なものとするように排臭空調を行うことが可能な車両用空調装置を提供することを目的とする。
【課題を解決するための手段】
【０００７】
上記課題を解決するための車両用空調装置は、車両の室内の空調を行う空調部と、空調部の動作制御を行う空調制御部と、空調部に、車両の乗員が車両に乗り込む前に行う空調態様であるプレ空調を実行させるためのプレ空調指示を取得する取得部と、を備え、空調部は、ダクトと、車両の外部の空気である外気と、車両の室内を循環する空気である内気との割合を調整してダクト内に送り込む内外気調整部と、ダクト内の空気を空調風として車両の室内に吹き出すための送風部および吹出口と、空調風を吹き出す吹出口を切り替える吹出口切替部と、を含み、空調制御部は、取得部が、プレ空調指示を取得したときに、空調部に、プレ空調を実施させるのに先立ち、プレ空調とは異なる空調態様で、ダクト内の臭気を低減させる排臭空調を所定時間実施させ、排臭空調に続いてプレ空調を実施した後に、予め定められた排臭状態となるように、内外気調整部を調整させ、吹出口切替部に吹出口を切り替えさせる。
【発明の効果】
【０００８】
上記構成によって、プレ空調の実施後から、乗員が車両に乗車するまでの間に、ダクト内に臭気が滞留することを抑制できる。排臭状態では、送風部、コンプレッサは動作しないので（詳細は後述）、バッテリの負担は増加しない。
【図面の簡単な説明】
【０００９】
【図１】車両用空調装置の構成を示す図。
【図２】空調部の構造を示す図。
【図３】空調制御処理を説明するフロー図。
【図４】排臭制御ベース時間とプレ空調実施時間との関係を示す図。
【図５】排臭係数Ａとブロワの平均風量との関係を示す図。
【図６】排臭係数Ｂと外気温度との関係を示す図。
【図７】排臭係数Ｃと湿度との関係を示す図。
【図８】排臭係数Ｄとコンプレッサ駆動時間との関係を示す図。
【発明を実施するための形態】
【００１０】
図１のように、車両用空調装置１は、エアコンＥＣＵ２、空調部４を備える。エアコンＥＣＵ２は、ＬＡＮ等の通信バス６により接続されて各種情報の受け渡しが可能である。
【００１１】
エアコンＥＣＵ２は、各種演算処理を実行するＣＰＵ２００（本発明の空調制御部、算出部、計測部、時間取得部、風量取得部、駆動時間計測部）、ＣＰＵ２００の作業領域として用いるＲＡＭ２０１、空調制御プログラムや各種情報を記憶する不揮発性メモリ２０２、通信インターフェース回路である通信Ｉ／Ｆ２０３（本発明の取得部）、信号入出力回路であるＩ／Ｏ２０４（本発明の状態取得部、外気温度取得部、湿度取得部）を備える。これらは、データバス２１０によって接続され、情報の受け渡しが可能である。
【００１２】
エアコンＥＣＵ２は、Ｉ／Ｏ２０４を介して、空調用操作部２０５、空調用センサ群２０６と接続され、情報の受け渡しが可能である。また、エアコンＥＣＵ２は、通信Ｉ／Ｆ２０３を介して、車外の通信機器との間で無線通信を行うための装置であるＤＣＭ（Data  Communication  Module）３等の、通信バス６と接続された他の車両用装置とのデータ通信が可能である。
【００１３】
空調用操作部２０５は、例えば、運転者および助手席の乗員により操作可能なインパネ正面中央に設けられたエアコンパネルに設けられており、ＯＮ／ＯＦＦスイッチ、風量切替スイッチ、温度設定スイッチ、吹出口切替スイッチ（ＭＯＤＥスイッチ）、内外気切替スイッチ、デフロスタスイッチ、Ａ／Ｃスイッチといったスイッチを含んで構成される。これらのスイッチは、各々周知の押圧操作部やダイアル操作部として構成される。
【００１４】
空調用センサ群２０６は、例えば、車両の室内の温度を検出する内気温センサ、車外温度を検出する外気温センサ、エバポレータを通過した直後の空気の温度を検出するエバポレータ後センサ、日射量を検出する日射センサ、車両の室内の湿度を検出する湿度センサ、等の周知のセンサを含む。
【００１５】
また、エアコンＥＣＵ２は、Ｉ／Ｏ２０４を介して、図２に詳細を示す空調部４の、ダクト４０６に備えられた吹出口切替ダンパ４００（本発明の吹出口切替部）、内外気切替ダンパ４０１（本発明の内外気調整部）、エアミックスダンパ４０２と接続されており、ＣＰＵ２００が、これらに駆動を指令する。
【００１６】
図２のように、空調部４は、周知のＨＶＡＣ（Heating  Ventilating  and  Air-Conditioning）ユニットである。空調部４は、ダクト４０６内に設けられた、上述のダンパ（４００〜４０２）、ブロワ４０３（本発明の送風部）、ヒータコア４０５と、冷房出力用のための周知の冷凍サイクル（圧縮式冷凍サイクル、蒸気圧縮式冷凍サイクルともいう）ＲＣを備える。
【００１７】
吹出口切替ダンパ４００は、ダクト４０６に設けられた、車室内のエアコンの吹出口（例えばフェイス（ＦＡＣＥ）、フット（ＦＯＯＴ）、デフロスタ（ＤＥＦ））の開閉状態を切り替える。これらのダンパは、個別の開閉制御が可能で、全ての吹出口を開状態、全ての吹出口を閉状態、あるいは、少なくとも一つの吹出口を開状態とすることができる。フェイス吹出口（ＦＡＣＥ）は、空調風を主に乗員の頭胸部に向けて吹き出す。フット吹出口（ＦＯＯＴ）は、空調風を主に乗員の足元に向けて吹き出す。デフロスタ吹出口（ＤＥＦ）は、空調風を車両のフロントガラスの内側に向けて吹き出す。
【００１８】
ダクト４０６には、車外の空気を取り込む外気取入口４０１ａと、車両の室内の空気を循環させるための内気取入口４０１ｂとが設けられ、内外気切替ダンパ４０１により取入比率を調整する。これら外気取入口４０１ａないし内気取入口４０１ｂからの空気は、ブロワ４０３によってダクト４０６内に取り込まれる。
【００１９】
ブロワ４０３は、モータおよび送風ファンを含み、モータが送風ファンを回転させて、ダクト４０６内に空気（内気あるいは外気）が取り込まれ、空気流が形成される。
【００２０】
冷凍サイクルＲＣは、ダクト４０６外に設けられた、エンジン（エンジン車両の場合）あるいはモータ（ハイブリッド車，電気自動車の場合）により駆動されるコンプレッサ（圧縮器）４０７、コンデンサ（凝縮器）４０８、レシーバ（受液器）４０９と、ダクト４０６内に設けられた、エキスパンションバルブ（膨張弁）４１０、エバポレータ４０４、を含む。
【００２１】
コンプレッサ４０７によって圧縮・液化された冷媒ガスがエバポレータ４０４内へ流入して気化することによって周囲の熱が奪われる。こうして、エバポレータ４０４が、空気流を冷却して冷気を生成する。
【００２２】
ヒータコア４０５は、エンジンを搭載している車両のときは、エンジンを冷却することによって昇温した冷却水の熱（エンジン車両の場合）、あるいは電気ヒータ（ハイブリッド車，電気自動車の場合）を用いて、ブロワ４０３の回転により生じた空気流を加熱して暖気を生成する。
【００２３】
そして、エアミックスダンパ４０２の開度によって、エバポレータ４０４で冷却された冷気と、ヒータコア４０５で加熱された暖気との混合比率を調整して、温度調節を行い、各吹出口から車室内に空調風を吹き出す。
【００２４】
上述のような構成により、エアコンＥＣＵ２は、空調制御プログラムを実行することで、各種空調用操作部２０５の操作状態、各種空調用センサ群２０６の検出結果に基づいて空調部４を駆動制御することにより、吹出温度制御、風量制御、内外気切替制御、および吹出口切替制御等の周知の空調制御（通常空調）を行う。
【００２５】
図１に戻り、通信バス６には、車両の原動機（エンジン、モータ等）を始動するため、あるいは始動を許可するための始動スイッチ１０、乗車検出部１１が接続される。これらは、Ｉ／Ｏ２０４に接続してもよい。始動スイッチ１０は、その状態（始動許可／不許可）を通信バス６に出力するための回路（図示せず）も備える。
【００２６】
乗車検出部１１は、ユーザが車両に乗車したか否かを検出するもので、以下のうちの少なくとも一つを含む。検出した情報は通信バス６に出力する。
・ドアロック状態（解錠／施錠）を検出するドアロックスイッチ。
・ドアの開閉状態を検出するドアスイッチ。
・車両の座席の着座部に設けられたスイッチで構成する着座センサ。
・車室内を撮影可能に設置されたカメラ（撮影画像の解析を行う画像処理部を含む）。
【００２７】
ＤＣＭ３は、各種処理（例えば、信号レベル判定、信号エラー判定）のためのＣＰＵ３００、ＣＰＵ３００の作業領域として用いるＲＡＭ３０１、プログラムや各種情報を記憶するＲＯＭ３０２、通信インターフェース回路である通信Ｉ／Ｆ３０３、無線通信部３０４を備える。これらは、データバス３１０によって接続され、情報の受け渡しが可能である。
【００２８】
無線通信部３０４は、ユーザが所持する携帯機５（後述）あるいは他の車両用装置との間で無線通信が可能な通信回路を含む。
【００２９】
ＤＣＭ３は、通信Ｉ／Ｆ３０３を介して通信バス６と接続される。ＤＣＭ３は、各種信号（例えば、携帯機５からのプレ空調信号）を正しく受信すると、その情報をＩ／Ｆ３０３を介して通信バス６に出力する。エアコンＥＣＵ２等の車両用装置は、通信バス６で遣り取りされる情報のうち、必要なものを取得する。
【００３０】
携帯機５は、ＣＰＵ５００、ＣＰＵ５００の作業領域として用いるＲＡＭ５０１、プログラムや各種情報を記憶するＲＯＭ５０２、無線通信部５０３、プレ空調ボタン５０６を備える。これらは、データバス５１０によって接続され、情報の受け渡しが可能である。
【００３１】
無線通信部５０３は、ＤＣＭ３との無線通信を行う。プレ空調ボタン５０６は、車両のユーザが車外からプレ空調を指令するときに押下（オン操作）するボタンである。ユーザがプレ空調ボタン５０６を押下すると、ＣＰＵ５００はこれを検知し、プレ空調指示信号を生成して、無線通信部５０３から送信する。
【００３２】
携帯機５は、上述のように、ＤＣＭ３に直接信号を送信してもよいし、携帯電話機やスマートフォンのような、公衆通信回線を経由して、ＤＣＭ３に信号を送信する携帯通信端末としてもよい。
【００３３】
プレ空調指示信号は、ユーザがプレ空調ボタン５０６を操作したときの他に、携帯機５が車両から予め定められた範囲内に所定時間を超えて位置するとき、あるいは、携帯機５が車両に接近していると判定したとき、生成・送信してもよい。本構成では、ユーザの操作は不要である。この場合、ＤＣＭ３の無線通信部３０４に送信機能を設け、携帯機５に対してポーリング信号を間歇送信する。また、携帯機５の無線通信部５０３に受信機能を設け、ポーリング信号を受信したときの電波強度を算出し、その電波強度に基づいて車両との距離を推定する。
【００３４】
図３を用いて、エアコンＥＣＵ２の不揮発性メモリ２０２に記憶された空調制御プログラムに含まれ、ＣＰＵ２００が予め定められたタイミングで繰り返し実行する空調制御処理を説明する。まず、携帯機５からのプレ空調指示信号を受信したか否かを判定する。
【００３５】
例えば、所定時間（例えば、５秒）経過しても、プレ空調指示信号を受信しないとき（Ｓ１１：Ｎｏ）、ステップＳ２０へ進む（詳細は後述）。一方、プレ空調指示信号を受信したとき（Ｓ１１：Ｙｅｓ）、空調部４に排臭空調を実行させる（Ｓ１２）。
【００３６】
排臭空調では、例えば、以下のように各ダンパを切り替える。
・内外気切替ダンパ４０１を、外気のみを導入する状態にする。
・エアミックスダンパ４０２を、冷気側に切り替える。あるいは、排臭空調時の設定温度に対応した角度とする。
・吹出口切替ダンパ４００を、全吹出口から送風可能に切り替える。あるいは、ＦＡＣＥ吹出口およびＦＯＯＴ吹出口から送風可能に切り替える（いわゆる、バイレベル）。吹出口のうち、同時に吹き出し可能なものが最も多い状態が望ましい。
・ブロワ４０３のモータの回転数を最大とする。バッテリ電圧に応じて回転数を変化させてもよい。
また、コンプレッサ４０７は駆動しなくてもよい。
【００３７】
上述の構成が、「空調制御部は、排臭空調の実行時には、ダクトに外気を導入し、吹出口のうち、同時に吹き出し可能なものが最も多い状態で、ダクトに滞留していた空気を車両の室内に吹き出させるよう、内外気調整部を調整させ、吹出口切替部に吹出口を切り替えさせる」ものである。
【００３８】
臭い物質は、主として、コンプレッサ４０７を駆動し、エバポレータ４０４で熱交換を行った際に、エバポレータ４０４の表面に付着した水滴に含まれる。水滴が蒸発しても、臭い物質はエバポレータ４０４の表面に残り、これが揮発して臭いを発生する（エバポレータの乾臭）。
【００３９】
上述のように、排臭空調することで、エバポレータ４０４の乾臭を含む、ダクト４０６内に滞留した臭気が、車室内に吹き出す。ユーザが乗車するまでに、ダクト４０６内の臭気は概ね排出されて、車室内の空気と十分撹拌される。
【００４０】
車室は完全密閉状態ではなく、例えば車両後部のＣピラー、あるいは後部座席とトランクルームとの間の仕切り部にスリットが形成されて、空気が流通可能になっているものもある。この構成では、撹拌された車室内の臭気が徐々に車室外（例えば、トランクルーム）に流出する。よって、ダクト４０６内の臭気が全て車室内に滞留するわけではない。
【００４１】
次に、排臭空調を開始してからの時間を計測し、排臭空調が所定時間（例えば、１０秒）を経過したか否かを判定する。所定時間が経過したとき（Ｓ１３：Ｙｅｓ）、プレ空調に対応した、吹出温度、風量、吸気状態（例えば、外気導入）、および吹出口の設定に基づいて、空調部４にプレ空調を実行させる（Ｓ１４）。
【００４２】
次に、以下のいずれかのプレ空調停止条件が成立したか否かを判定する。
・携帯機５からのプレ空調停止指示信号を受信したとき、例えば、プレ空調動作時に、プレ空調ボタン５０６の押下信号を受信したとき、プレ空調停止条件が成立したと判定する。
・プレ空調の実行時間が所定値（例えば、５分）を経過したとき、プレ空調停止条件が成立したと判定する。
・バッテリの電圧が予め定められた電圧閾値を下回ったとき、プレ空調停止条件が成立したと判定する。
バッテリの状態は、例えば、通信バス６を介して他の車両用装置から取得する。
【００４３】
また、乗車検出部１１が、例えば、以下のように、ユーザが車両に乗車したことを検出したとき、プレ空調停止条件が成立したと判定してもよい。
・ドアロックスイッチが、施錠→解錠の変化を検出したときに、ユーザが乗車したとする。
・ドアスイッチが、ドア閉→ドア開の変化を検出したときに、ユーザが乗車したとする。
・着座センサが、ユーザの着座を検出したときに、ユーザが乗車したとする。
・カメラが、車内のユーザの存在を撮影したときに、ユーザが乗車したとする。
【００４４】
プレ空調停止条件が成立したとき（Ｓ１５：Ｙｅｓ）、空調部４にプレ空調の実行を停止させる（Ｓ１６）。
【００４５】
上述の排臭空調の後にプレ空調を行う構成では、ダクト４０６内に新たに取り込まれた空気が車室内に吹き出すため、車室内で撹拌されて低減した臭気の強さをさらに低減できる。
【００４６】
次に、臭いこもり防止動作を実施する（Ｓ１７）。すなわち、プレ空調実施後に、ダクト４０６や車室内に臭いがこもらないように、空調部４を排臭状態とする。例えば、各ダンパを、以下のような状態にする。
・内外気切替ダンパ４０１を、外気のみを導入する状態にする。
・エアミックスダンパ４０２を、冷気側に切り替える。あるいは、排臭空調時の設定温度に対応した角度とする。
・吹出口切替ダンパ４００を、デフロスタ吹出口（ＤＥＦ）のみを開口状態にするように切り替える。
なお、ブロワ４０３、コンプレッサ４０７は動作させない。
【００４７】
これにより、ダクト４０６内の空気がある程度流通してデフロスタ吹出口（ＤＥＦ）から車室内に流出し、ダクト４０６内の臭いが低減することが期待できる。デフロスタ吹出口は、フェイス吹出口およびフット吹出口よりも高い位置に開口している。さらに、デフロスタ吹出口は、両吹出口と異なり、ダクト４０６の上方に向けて開口している。よって、ダクト４０６内で対流が生ずると、臭い成分を多く含む暖かい空気が、より車室内に流出し易くなる。
【００４８】
上述の構成が、「空調制御部は、排臭状態のときには、ダクト内の空気が、ダクトの外部に流出可能なように、内外気調整部を調整させ、吹出口切替部に吹出口を切り替えさせる」ものである。本構成によって、ダクト内に臭気が滞留することを抑制できる。
【００４９】
次に、排臭再実施時間を算出する（Ｓ１８）。排臭再実施時間は、プレ空調実施終了後から、ダクト４０６に臭いがこもると予想されるまでの時間で、以下の計算式を用いて算出する。
排臭再実施時間（ｓ）
＝排臭制御ベース時間（ＳＭＬ＿ｔｉｍ）×排臭係数Ａ×排臭係数Ｂ×排臭係数Ｃ×排臭係数Ｄ。
【００５０】
図４のように、排臭制御ベース時間（ＳＭＬ＿ｔｉｍ）は、プレ空調実施時間によって決まる。プレ空調実施時間が長くなるほど、ダクト４０６内の臭気は低減すると考えられるので、排臭制御ベース時間も長くなる傾向を有する。プレ空調の時間は、既知である（予め設定されている）。
【００５１】
図４の構成が、「プレ空調の実施時間を取得する時間取得部を備え、算出部は、プレ空調の実施時間に基づいて排臭再実施時間を算出する」ものである。本構成によって、簡易な構成で排臭再実施時間を算出することができる。
【００５２】
図５のように、排臭係数Ａは、プレ空調実施時のブロワ４０３の平均風量によって決まる。平均風量が大きいほど、外気が大量に導入され、ダクト４０６の臭いは少なくなると考えられるので、排臭係数Ａは大きくなる傾向を有する。ＣＰＵ２００が指示するプレ空調実施時のブロワ４０３の風量は予め定められているので、これを平均風量としてもよい。また、プレ空調実施時に所定時間間隔で、ブロワ４０３のモータの回転数の指示値、あるいは、モータの実際の回転数から風量を算出し、算出した風量の平均値を求めてもよい。
【００５３】
図５の構成が、「プレ空調を実行時の空調風の風量を取得する風量取得部を備え、算出部は、風量に基づいて排臭再実施時間を算出する」ものである。本構成によって、簡易な構成で排臭再実施時間を算出することができる。
【００５４】
図６のように、排臭係数Ｂは、外気温度によって決まる。外気温度が高いほど、臭い物質が揮発する量は増加するので、排臭係数Ｂは小さくなる傾向を有する。外気温度は、空調用センサ群２０６に含まれる外気温センサから取得可能である。
【００５５】
図６の構成が、「プレ空調を実行時の、外気の温度を取得する外気温度取得部を備え、算出部は、外気の温度に基づいて排臭再実施時間を算出する」ものである。本構成によって、簡易な構成で排臭再実施時間を算出することができる。
【００５６】
図７のように、排臭係数Ｃは、湿度によって決まる。湿度が高くなると、空間中と固体（例えば、エバポレータ４０４）内の濃度を同じにしようとする力が働く（水との親和性が高くなる）。よって、水分子が固体に染み付いた臭い物質を追い出すため、臭い物質がダクト４０６内に漂うので、湿度が高くなるにつれて、排臭係数Ｃは小さくなる傾向を有する。湿度は、空調用センサ群２０６に含まれる湿度センサから取得可能である。
【００５７】
図７の構成が、「プレ空調を実行時の、車両の室内の湿度を取得する湿度取得部を備え、算出部は、湿度に基づいて排臭再実施時間を算出する」ものである。本構成によって、簡易な構成で排臭再実施時間を算出することができる。
【００５８】
図８のように、排臭係数Ｄは、コンプレッサの駆動時間によって決まる。コンプレッサの駆動時間が長いほど、エバポレータ４０４に付着する水滴の量は増加すると考えられるので、排臭係数Ｄは小さくなる傾向を有する。コンプレッサ４０７の駆動は、ＣＰＵ２００で制御しているので、駆動時間はＣＰＵ２００で計測できる。
【００５９】
図８の構成が、「プレ空調を実行時の、空調部に含まれるコンプレッサの駆動時間を計測する駆動時間計測部を備え、算出部は、コンプレッサの駆動時間に基づいて排臭再実施時間を算出する」ものである。本構成によって、簡易な構成で排臭再実施時間を算出することができる。
【００６０】
排臭係数Ａ〜Ｄは、少なくとも一つを用いればよい。また、排臭係数Ａ〜Ｄは、それぞれのグラフに基づいてデータテーブルを作成し、このデータテーブルを不揮発性メモリ２０２に記憶する。
【００６１】
図３に戻り、プレ空調の実行終了後からの経過時間を計測する排臭タイマのカウントを開始する（Ｓ１９）。
【００６２】
次に、始動スイッチ１０の操作により原動機が始動状態あるいは始動許可状態（これらの状態を「ＩＧ  ＯＮ状態」と総称する）になったか否かを判定する。
【００６３】
ＩＧ  ＯＮ状態でないとき（Ｓ２０：Ｎｏ）、ステップＳ１１に戻り、プレ空調指示の受信判定状態となる。
【００６４】
一方、ＩＧ  ＯＮ状態になったとき（Ｓ２０：Ｙｅｓ）、排臭タイマのカウントを停止し、排臭タイマの値が排臭再実施時間を上回ったか否かを判定する。排臭再実施時間を下回ったとき（Ｓ２１：Ｎｏ）、ダクト４０６内に臭いが滞留していないと判断して、空調部４に通常空調を実行させる（Ｓ２４）。
【００６５】
排臭空調の後にプレ空調を行うことで、ユーザが乗車時に空調部４に通常空調を実行させたときには、ダクト４０６内には臭気が滞留していないので、ユーザに向けて空調風を吹き出したとしても、ユーザに不快感は生じない。
【００６６】
一方、排臭再実施時間を上回ったとき（Ｓ２１：Ｙｅｓ）、ダクト４０６内に臭いが滞留していると判断して、上述のステップＳ１２のように、空調部４に排臭空調を実行させる（Ｓ２２）。
【００６７】
ステップＳ１８〜Ｓ２２の構成が、「排臭空調の実施終了後から、排臭空調を再び実施することが必要な状態になるまでの時間である排臭再実施時間を算出する算出部と、車両の原動機の状態を取得する状態取得部と、プレ空調の実施終了後から、原動機が始動許可状態になるまでの時間を計測する計測部と、を備え、空調制御部は、計測部が計測した時間が、排臭再実施時間を超えるとき、空調部に、車両の乗員が車両に乗り込んだ後に行う空調態様である通常空調を実行させるのに先立ち、所定時間、排臭空調を実行させる」ものである。本構成によって、プレ空調完了後からの、臭いのこもりに要する時間を算出することで、排臭制御再実施に必要な時間を可変化し、無駄な排臭空調の実施を低減し、空調制御の開始時より通常空調を実施し、より快適な空調制御を実現できる。
【００６８】
このときの排臭空調では、ユーザが乗車していることを考慮して、ＦＡＣＥ吹出口以外の吹出口を選択することが望ましい。本構成が、「空調制御部は、通常空調に先立って排臭空調を実施する際、車両の室内の乗員に対して吹き付ける空調風の量がより少なくなるように、吹出口切替部に吹出口を切り替えさせる」ものである。本構成によって、ユーザには、ダクト４０６内に滞留した臭気が直接吹き付けることはなく、ユーザの不快感は緩和される。
【００６９】
排臭空調の実施時間が所定時間（例えば、１０秒）を経過したとき（Ｓ２３：Ｙｅｓ）、空調部４に上述の通常空調を実行させる（Ｓ２４）。
【００７０】
上述のように、プレ空調の実行後からユーザが乗車するまで（すなわち、ＩＧ  ＯＮ状態となるまで）に時間を要し、ダクト４０６内には臭気が滞留したとしても、通常空調の前に排臭空調を実行するので、ユーザの不快感を低減することができる。
【００７１】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【符号の説明】
【００７２】
１  車両用空調装置
２  エアコンＥＣＵ
２００  ＣＰＵ（空調制御部、算出部、計測部、時間取得部、風量取得部、駆動時間計測部）
２０３  通信Ｉ／Ｆ（取得部）
２０４  Ｉ／Ｏ（状態取得部、外気温度取得部、湿度取得部）
４  空調部
４００  吹出口切替ダンパ（吹出口切替部）
４０１  内外気切替ダンパ（内外気調整部）
４０３  ブロワ（送風部）
４０７  コンプレッサ
ＦＡＣＥ  フェイス吹出口（吹出口）
ＦＯＯＴ  フット吹出口（吹出口）
ＤＥＦ  デフロスタ吹出口（吹出口）
【図１】
0006361510.tif 000002
【図２】
0006361510.tif 000003
【図３】
0006361510.tif 000004
【図４】
0006361510.tif 000005
【図５】
0006361510.tif 000006
【図６】
0006361510.tif 000007
【図７】
0006361510.tif 000008
【図８】
0006361510.tif 000009